(57)【要約】      （修正有）【課題】安価で嵩張らず、その人に固有のカレンダーを提供する。【解決手段】２枚のシートを再剥離可能に貼り合わせた日めくりカレンダーであって、１枚目のシートには、所定の期間単位で表示された日付表示部が周縁に切込みを伴って形成され、２枚目のシートには、１枚目のシートに形成された日付表示部に対応して、関連する固有メッセージが記載され、１枚目のシートに形成された日付表示部を切込みに沿って剥ぎ取ると、剥ぎ取られた開口部に２枚目に記載された固有メッセージが表出する日めくりカレンダーを提供する。【選択図】図１
2006110887.tif 000002
【特許請求の範囲】
【請求項１】
２枚のシートを再剥離可能に貼り合わせた日めくりカレンダーであって、
１枚目のシートには、所定の期間単位で表示された日付表示部が周縁に切込みを伴って形成され、
２枚目のシートには、１枚目のシートに形成された日付表示部に対応して、関連する固有メッセージが記載され、
１枚目のシートに形成された日付表示部を切込みに沿って剥ぎ取ると、剥ぎ取られた開口部に２枚目に記載された固有メッセージが表出することを特徴とする日めくりカレンダー。
【請求項２】
請求項１に記載の日めくりカレンダーにおいて、
２枚目のシートの所定の位置には更に期間限定メッセージが記載され、１枚目のシートの前記期間限定メッセージに対応する部分には期間限定メッセージ被覆部が、周縁部に切込み部を伴って形成されたことを特徴とする日めくりカレンダー。
【請求項３】
請求項１に記載の日めくりカレンダーにおいて、
１枚目のシートには更に共通情報が、２枚目のシートには更に１枚目のシートに被覆されない状態で種別と期間を示す表示部が、形成されたことを特徴とする日めくりカレンダー。
【請求項４】
請求項３に記載の日めくりカレンダーにおいて、
種別と期間を示す表示部には、占いの星座が表示されたことを特徴とする日めくりカレンダー。
【請求項５】
請求項１〜４何れか１項に記載の日めくりカレンダーにおいて、
１枚目のシートは、透明材料で構成され、２枚目のシートに記載された固有メッセージ，期間限定メッセージを被覆する部分以外は２枚目のシートが透視可能な構造になっていることを特徴とする日めくりカレンダー。
【発明の詳細な説明】
【技術分野】
【０００１】
本発明は、日めくりカレンダーに関し、詳しくは、１枚目のシートと２枚目のシートが再剥離可能な接着剤で貼り合わされ、１枚目のシートに形成された１日単位の表示紙片を周縁に形成された切込みに沿って剥ぎ取ると開口部にメッセージが表出するカレンダーに関する。
【背景技術】
【０００２】
従来から、薄紙を綴じ合わせた「日めくりカレンダー」が広く利用されている。
この「日めくりカレンダー」は、１日単位で印刷された紙片が重ねられて糊や、針金などで綴じられており、新しい日を迎えると、その前の日の紙片を切り取って、その日の日付けに切り替える。
従来の「日めくりカレンダー」は、日付が印刷された紙面に星占いや、格言、歴史的な出来事などが記載されていて楽しく、また、便利なものである。
一方で、従来の「日めくりカレンダー」は、製造上の幾つかの課題を抱えていた。
例えば、カレンダーは、休日や、祝日などが突然追加されたり、祝日の名称が変更されたりするために、日めくりカレンダーに限らず、２年以上先のカレンダーを作製することは通常行われていない。そのために、印刷した用紙を４００枚近く重ねて丁合する専用機を導入しても、上述のように１年に１度稼動するだけで、設備償却費を捻出することが困難であった。その結果、専用機も無く、１年分の印刷済みの用紙を重ね合わせる作業は、一部を手作業に頼るなど、決して効率的ではなかった。
1日分を多面付けで印刷し、多面付けされた印刷物を１日毎に順次積み重ねる方式で手丁合した場合、丁合ミスによる、落丁（欠落），乱丁（同じものが複数枚綴じられる，または、順序が入れ替わる）によって出荷できないものが数多く発生する。
また、落丁や、乱丁を防ぐことができても、薄い紙による４００枚近い束をカレンダー単位の小さい面積毎に自動裁断し、再び小さい面積のカレンダー単位に整え直す作業が極めて能率が悪く、長年の課題となっていた。
【０００３】
一方、カレンダー部分が厚く，重くなるために、カレンダーを支える台紙が厚くなり、その結果、材料費が高くなりコストアップとなっていた。
また、毎日紙を千切って捨てるという構成であるために、資源保護の面で決して好ましい形態とはいえず、また、でき上がった製品は、梱包し難く、輸送効率が悪かった。
【０００４】
そこで、カレンダーの日付け部分を１日ごとに剥して使用するカレンダーが提案されている（例えば特許文献１参照）。
提案されている技術によれば、カレンダーの日付け部分を１日ごとの小片にして毎日めくって剥がせるようにシール貼りをするというものである。
【０００５】
【特許文献１】登実第３０１６１０１号公報
【発明の開示】
【発明が解決しようとする課題】
【０００６】
前述の特許文献１で開示されている技術は、日付表示紙片が台紙に剥離可能に貼付されているだけで、従来の日めくりカレンダーに見られる便利な機能を併せ持っていない。
【課題を解決するための手段】
【０００７】
前記課題を解決するために、本発明の日めくりカレンダーの請求項１に記載の発明は、２枚のシートを再剥離可能に貼り合わせた日めくりカレンダーであって、１枚目のシートには、所定の期間単位で表示された日付表示部が周縁に切込みを伴って形成され、２枚目のシートには、１枚目のシートに形成された日付表示部に対応して、関連する固有メッセージが記載され、１枚目のシートに形成された日付表示部を切込みに沿って剥ぎ取ると、剥ぎ取られた開口部に２枚目に記載された固有メッセージが表出することを特徴とするものである。
【０００８】
また、請求項２に記載の発明は、請求項１に記載の発明において、２枚目のシートの所定の位置には更に期間限定メッセージが記載され、１枚目のシートの前記期間限定メッセージに対応する部分には期間限定メッセージ被覆部が、周縁部に切込み部を伴って形成されたことを特徴とするものである。
【０００９】
また、請求項３に記載の発明は、請求項１に記載の発明において、１枚目のシートには更に共通情報が、２枚目のシートには更に１枚目のシートに被覆されない状態で種別と期間を示す表示部が、形成されたことを特徴とするものである。
【００１０】
また、請求項４に記載の発明は、請求項３に記載の発明において、種別と期間を示す表示部には、占いの星座が表示されたことを特徴とするものである。
【００１１】
また、請求項５に記載の発明は、請求項１〜４何れか１項に記載の発明において、１枚目のシートは、透明材料で構成され、２枚目のシートに記載された固有メッセージ，期間限定メッセージを被覆する部分以外は２枚目のシートが透視可能な構造になっていることを特徴とするものである。
【発明の効果】
【００１２】
１）請求項１に記載のように、２枚のシートを再剥離可能に貼り合わせた日めくりカレンダーであって、１枚目のシートには、所定の期間単位で表示された日付表示部が周縁に切込みを伴って形成され、２枚目のシートには、１枚目のシートに形成された日付表示部に対応して、関連する固有メッセージが記載され、１枚目のシートに形成された日付表示部を切込みに沿って剥ぎ取ると、剥ぎ取られた開口部に２枚目に記載された固有メッセージが表出することによって、従来の日めくりカレンダーに記載されて、珍重されていた星占いや、格言等の一部をカレンダー上に盛り込むことができ、しかも、これから訪れる日に関する情報が日付表示紙片で被覆されているために、剥がす楽しさ（従来のカレンダーの捲る楽しさ）を盛り込むことができる。
２）また、請求項２に記載のように、請求項１に記載の発明において、２枚目のシートの所定の位置には更に期間限定メッセージが記載され、１枚目のシートの前記期間限定メッセージに対応する部分には期間限定メッセージ被覆部が、周縁部に切込み部を伴って形成されたことによって従来の日めくりカレンダーには無い期間限定情報を盛り込むことができる。
３）また、請求項３、４に記載のように、１枚目のシートには更に共通情報が、２枚目のシートには更に１枚目のシートに被覆されない状態で種別と期間（占いの星座）を示す表示部が形成されたことによって、そのカレンダーがどのような種別，期間のカレンダーであるか一目瞭然に知ることができ、また、記載されている共通情報を１月の初日から最終日まで毎日見ることができる。
４）また、請求項５に記載のように、請求項１〜４何れか１項に記載の発明において、１枚目のシートは、透明材料で構成され、２枚目のシートに記載された固有メッセージ，期間限定メッセージを被覆する部分以外は２枚目のシートが透視可能な構造になっていることによって、日めくりカレンダーをデザインする上で自由度が高まる。
【発明を実施するための最良の形態】
【００１３】
以下図面を参照して、本発明の日めくりカレンダーについて説明する。
図１は、本発明の日めくりカレンダーの一例について説明するための図，図２は、本発明の日めくりカレンダーの、使用開始後２日目の状態の一例について説明するための図，図３は、図２のＡ−Ａ矢視断面の一例について説明するための図，図４は、本発明の日めくりカレンダーの１枚目のシートを透明シートとした場合の一例について説明するための図，である。
【００１４】
図１を参照して、本発明の日めくりカレンダーの一例について説明する。
図１は、本発明の剥離可能に貼り合わせた２枚のシートを剥離させて、１枚目の全部、および、２枚目の一部が見えるようにした図である。
また、図１に示すカレンダーの例は、所定の単位期間が１ヶ月の日めくりカレンダーで、生まれた月日が「さそり座」の人を対象に作成されたものである。
１枚目のシート１は、紙等、不透明な材料で構成され、１枚目のシート面には２００５年の１月のカレンダーが印刷されている。
まず、日付表示の「玉」といわれる日付数字が曜日毎に配置されている。
曜日を示す表示の下部には、２枚目のシート２に印刷された期間限定メッセージ２００を被覆するための、「今月の総合運」と記載された期間限定メッセージ被覆部１００が周縁に切込み（図示せず）を伴って形成されている。
期間限定メッセージ被覆部１００の右端から日付表示部が始まり、この月の最終日３１日で日付表示部１３１は終わる。
それぞれの日付表示部の周縁には、切込み３が形成され、日付表示紙片として貼り合わされた２枚目のシート２から剥ぎ取ることができるようになっている。
図１に示すカレンダーの例では、１月の最終日の日付表示部１３１の右側に、共通情報１５０が記載されている。共通情報は、例えば、１月にまつわる「門松」の来歴などが記載され、豆知識として利用してもらえるようになっている。
この「共通情報」は、単位期間に限定された情報で、月が変わると別な情報になってしまう情報である。
【００１５】
２枚目のシート２は、１枚目のシート同様、紙等の不透明な材料で構成され、上部には「Ｊａｎｕａｒｙ  ２００５」と年月を知らせる情報が印刷されている。
また、種別情報２５０として、「さそり座」のシンボルマークが印刷されている。この種別情報は、１２月まで１年を通して表示され、カレンダーを掲示する人の生年月日によって選択される。
また、前述したように１枚目のシートに印刷された期間限定メッセージ被覆部１００に対応した位置に期間限定メッセージ２００が、日付表示部に対応した位置に、その日の星座の固有メッセージ２０５が記載されている。
期間限定メッセージ２００として、さそり座の人の１月始めから終わりまでの１ヶ月の運勢が記載されている。
また、固有メッセージ２０５として、さそり座の人のその日の運勢が記載されている。
固有メッセージの欄には、その日の運勢情報のほかに、固有メッセージを読む上で妨げとならないようにその日の日付情報が表示されている。日付情報は、１枚目のシートの日付表示部が剥ぎ取らてしまうために可能な限り大きく表示される。
１枚目のシート１は、２枚目のシート２の破線で表示した境界２６０から上の部分を被覆せず、境界２６０から下の部分を被覆して貼り合わされる。
【００１６】
図２を参照して、本発明の日めくりカレンダーの、使用開始後２日目の状態の一例について説明する。
図１で説明したように、日めくりカレンダー６の１枚目のシート１には２００５年の１月のカレンダーが印刷され、２枚目のシート２と貼り合わされている。
周縁に切込みを伴って形成されていた「今月の総合運」と記載された期間限定メッセージ被覆部１００を剥がすと、その跡の開口部に、２枚目のシートに印刷された期間限定メッセージ２００が表出する。さそり座の人が１月のカレンダーを使用する際に最初に行う作業である。
次に、１月１日，２日の日付表示部の紙片を、切込み（1月３０日の日付表示部の周縁に形成された切込み部３を参照）に沿って剥がし取る。１月２日の日付表示部の紙片が剥がし取られた跡の開口部には固有メッセージ２０２が表出する。
１月の最終日、1月３１日の日付表示部の右側には、図１で説明したように、共通情報が記載されている。共通情報は、例えば、１月にまつわる「門松」の来歴などが記載され、豆知識として利用してもらえるようになっている。
２枚目のシート２は、１枚目のシート同様、紙等の不透明な材料で構成され、２枚目のシートの上部には「Ｊａｎｕａｒｙ  ２００５」と、年月情報が印刷されている。
また、種別情報２５０として、「さそり座」のシンボルマークが印刷されている。この種別情報は、１２月まで１年を通して表示され、カレンダーを掲示する人の生年月日によって選択される。
期間限定メッセージ２００として、さそり座の人の１月始めから終わりまでの１ヶ月の運勢が記載されている。
また、固有メッセージ２０２として、さそり座の人のその日の運勢が記載されている。
固有メッセージの欄には、その日の運勢情報のほかに、固有メッセージを読む上で妨げとならないようにその日の日付情報が表示されている。
【００１７】
図３を参照して、図２のＡ−Ａ矢視断面の一例について説明する。
日めくりカレンダーは、２枚目のシート２の上に１枚目のシート１が再剥離可能な接着剤４で接着されている。接着剤４の下側、２枚目のシート２の表面には剥離剤５が少なくとも接着面全面に形成されている。
剥離剤５と２枚目のシート２の間には、期間限定メッセージ２００，固有メッセージ２０２の文言が印刷されている。
１枚目のシート１には、日付表示部紙片１０９を剥がすための切込み３が形成されている。１枚目のシート１に形成された切込み３は、接着剤４が粘着剤の場合は、粘着剤の層まで到達しており、日付表示部紙片と共に剥ぎ取られる。
剥ぎ取られた跡の開口部には、期間限定メッセージ２００や、固有メッセージ２０２が表出する。
また、日付表示部紙片の表面には日付情報１１６０が印刷される。
【００１８】
図４を参照して、本発明の日めくりカレンダーの１枚目のシートを透明シートとした場合の一例について説明する。
図１で説明した１枚目のシートは、紙などの不透明基材で構成されていたが、図４で説明する１枚目のシート１０の基材は、プラスチックフィルムなどの透明基材で構成されている。
日めくりカレンダーの１枚目のシート１には２００５年の１月のカレンダーの日付表示部１０１が印刷され、２枚目のシート２と貼り合わされている。
まず、日付表示部１０１として、日付表示の「玉」といわれる日付数字が、不透明なインキでベタ印刷された矩形状の背景パターンの上に曜日毎に配置されて印刷されている。
また、２枚目のシート２に印刷された期間限定メッセージ２００を被覆するための、「今月の総合運」と記載された期間限定メッセージ被覆部１００が上述の日付表示部１０１と同じ構成で周縁に切込み（図示せず）を伴って形成されている。
それぞれの日付表示部の周縁には、切込みが形成され、日付表示紙片として貼り合わされた２枚目のシート２から剥ぎ取ることができるようになっている。
また、共通情報１５０がカレンダーの日付表示部の下方に記載されている。
この実施形態の場合は、この共通情報は２枚目のシートの表面に印刷されてもよい。ただし、その場合は、１枚目のシートを介して透視可能なように配置される。
【００１９】
２枚目のシート２は、１枚目のシート同様、紙等の不透明な材料で構成され、上部には「Ｊａｎｕａｒｙ  ２００５」と、年月情報が印刷されている。
また、種別情報２５０として、「さそり座」のシンボルマークが印刷されている。
期間限定メッセージ２００として、さそり座の人の１月始めから終わりまでの１ヶ月の運勢が記載されている。
また、固有メッセージ２０２として、さそり座の人の、その日の運勢が記載されている。また、固有メッセージの欄には、その日の運勢情報のほかに、固有メッセージを読む上で妨げとならないようにその日の日付情報が表示されている。
【００２０】
（材料）
図３を参照して、使用する材料の一例について説明する。
１枚目のシート基材１，１０として４０〜８２ｇ／ｍ2の上質紙，コート紙，クラフト紙等の紙、または、０．０２〜０．１ｍｍのポリエステル，ポリカーボネート，トリアセテート等の透明なプラスチックフィルムの中から選択して使用する。
また、２枚目のシート基材２として、６４〜１０５ｇ／ｍ2の上質紙，コート紙，クラフト紙等から選択して使用する。
印刷インキは、市販されているＵＶ乾燥型のオフセットインキや通常のオフセットインキを使用する。
また、接着剤４として、再剥離再貼付可能な粘着剤を使用する場合は、２ＥＨＡ（２エチルヘキシルアクリレート）等のガラス転移温度が低いアクリル樹脂をエマルジョン化したものを使用する。
再剥離可能で再貼付できないことを目的とする場合は、例えば、熱可塑性樹脂による接着剤層と剥離層からなる構造，オレフィン樹脂／非オレフィン樹脂を共押し出しされて積層された構造，親展はがきで使用されるゴム系接着主剤中に微粒子を添加した擬似接着剤が片面ないし両面に設けられた構造等、各種公知の擬似接着構造を利用する。
剥離剤５は、再剥離再貼付可能な粘着剤に対しては、市販されているＵＶ乾燥型のオフセットメジウムをそのまま、または、シリコンなどの剥離材料を混合して使用する。オフセットインキ以外に白金触媒を利用する熱硬化型剥離インキを使用することもできる。
使用される材料，材料の重量や厚さは、本発明の日めくりカレンダーに適したものであれば上述のものに拘るものではない。
【産業上の利用可能性】
【００２１】
安価で嵩張らず、その人に固有の日めくりカレンダーとして利用できる。
【図面の簡単な説明】
【００２２】
【図１】本発明の日めくりカレンダーの一例について説明するための図である。
【図２】本発明の日めくりカレンダーの、使用開始後２日目の状態の一例について説明するための図である。
【図３】図２のＡ−Ａ矢視断面の一例について説明するための図である。
【図４】本発明の日めくりカレンダーの１枚目のシートを透明シートとした場合の一例について説明するための図である。
【符号の説明】
【００２３】
１，１０  １枚目のシート（１枚目のシート基材）
２      ２枚目のシート（２枚目のシート基材）
３      切込み
４      接着剤，粘着剤
５      剥離剤
６      日めくりカレンダー
１００  期間限定メッセージ被覆部
１０１，１３１  日付表示部
１０９  日付表示部紙片
１５０  共通情報
２００  期間限定メッセージ
２０１，２０２  固有メッセージ
２５０  種別情報
２６０  境界
１１６０  日付情報
【図１】
2006110887.tif 000003
【図２】
2006110887.tif 000004
【図３】
2006110887.tif 000005
【図４】
2006110887.tif 000006